(57)【特許請求の範囲】
【請求項１】
プラスチックシート体を二つ折り可能に有する成形体であって、二つ折り部を外側に膨出した湾曲部とし、一方のシート体は他方のシート体と接合するシート面に物品収納用凹部を形成する一方、他方のシート体は両シート面の接面時に上記凹部と凹凸嵌合し得る物品収納用凸部を形成し、湾曲部の上記二枚のシート体との境目に相当する縁辺の略中央に折曲線を形成するとともに、上記湾曲部両側のシート体は略同形として形成し、一方のシート体は外側縁より若干内側位置に切取線を形成して外側縁と切取線との間を切取片とし、他方のシート体はその外側に折曲線を中心に上記一方のシート体の外側縁と略線対称の位置に形成した縁折線を介して若干幅の折返片を延設してなる構成を有するプラスチック成形体。
【請求項２】
湾曲部両側のシート体に、若しくは物品収納用凹部または凸部の外側のシート体部分に、湾曲部を折り目としてシート面を互いに接面した状態において外側に至るほど離反する方向の若干の反りを与えてなる構成を有する請求項１に記載のプラスチック成形体。
【請求項３】
請求項１又は２に記載のプラスチック成形体を湾曲部で二つ折りすると共に、折返片を縁折線で折り返して切取片の外側面に接合するようにしてなる構成を有するプラスチック包装体。
【発明の詳細な説明】
【０００１】
【発明の属する技術分野】
本発明は化粧品、筆記具等の小物を収納するのに好適なプラスチック成形体及びその成形体からなる包装体に関する。
【０００２】
【従来の技術】
消費者の嗜好の高級化に伴い商品の収納用容器は商品価値を高めるという点において、外観に美麗な処理を施したセンス溢れるものが要求されているのは近年の傾向であり、特に化粧品業界にあっては消費者のセンスにマッチしようと種々の工夫がなされている。そして、その大半は透明感溢れるプラスチックシートを収納物の形状に合わせて成型し、商品を充填した後、その裏側を片面に模様や色柄等の印刷を施した厚紙で被覆したブリスターパックと称されるものである。
【０００３】
こうしたブリスターパックは表側から見るとプラスチックシートを通して厚紙の印刷面が見えるので一見美麗であるが、裏側から見ると商品取出し用のミシン目が目立たないように厚紙に入れているのが目につく程度に過ぎないのが通常である。そしてスーパー或いは百貨店の化粧品売り場や化粧品小売店では、口紅など小物であるとはいえ高額の商品をブリスターパックに収納し、パックごとフックに吊り下げて販売しているところが多いようである。
【０００４】
しかしながらこのブリスターパックが、厚紙のミシン目を破って中身を抜き取り、パックをそのままにして中身を持ち出すという犯罪の格好の目標となっており、教育上及び商売上の深刻な問題となっている。
【０００５】
すなわち、スーパー等の売り場ではパックごと持ち出された場合は警報ブザー等の防犯装置で対処することができるものの、パックをそのままにして中身を持ち出された場合は厚紙で裏側を被覆したために一見しただけでは中身が抜き取られたことが分かり難く、防犯装置も作動しないので、現状では手の打ちようがないからである。
【０００６】
【発明が解決しようとする課題】
そこで、本発明者は、プラスチックシートの略中央にある折  曲線を中心に左右対称な位置の一方に適度にシート面を凹ませた物品収納用の凹部を、他方に当該凹部に嵌合するように突出した凸部を形成し、所定の物品を収納した後、折曲線を境にして折曲げて収納用の包装体を形成するプラスチック成形体について検討した。
【０００７】
この成形体を組立てて完成した包装体は物品を収納した部分が包装体の表側、裏側のいずれから見ても透明であるため中身を抜き取られた場合の発見が容易であり、かつ、プラスチックシートのシート面を利用して美麗な印刷を施せるので近年の消費者のセンスにマッチしている点で好ましいものである。
【０００８】
しかし、物品収納用の凹部に所定の物品を収納した後に凸部を嵌合しようとしてシート面を接面する際、凹部と凸部自体の寸法に微妙な差がある場合や、両者の形成位置に微妙なズレがある場合は、無理に嵌合すると完成後の包装体にゆがみが生じ、その結果接合面の間に隙間が生じてごみが入ったり、また上下に重なる印刷に微妙な位置ズレが生じるためにせっかくの微細で美麗な印刷も逆効果となることがあった。さらに、シート面に反り返りや波打ちが発生しかえって見苦しくなりかねない点で解決すべき課題があったため、さらに鋭意検討を加えた結果、本発明を完成するに至ったものである。
【０００９】
すなわち本発明は、物品収納用凹部や凸部に多少の寸法差が有っても、美麗かつセンス溢れる包装体が作成可能なプラスチック成形体及びその成形体からなる包装体を提供せんとすることを目的とするものである。
【００１０】
【課題を解決するための手段】
上記課題を解決するため本発明は、プラスチックシート体を二つ折り可能に有する成形体であって、二つ折り部を外側に膨出した湾曲部とし、一方のシート体は他方のシート体と接合するシート面に物品収納用凹部を形成する一方、他方のシート体は両シート面の接面時に上記凹部と凹凸嵌合し得る物品収納用凸部を形成し、湾曲部の上記二枚のシート体との境目に相当する縁辺の略中央に折曲線を形成するとともに、湾曲部両側のシート体は略同形として形成し、一方のシート体は外側縁より若干内側位置に切取線を形成して外側縁と切取線との間を切取片とし、他方のシート体はその外側に折曲線を中心に上記一方のシート体の外側縁と略線対称の位置に形成した縁折線を介して若干幅の折返片を延設してなる構成を有するプラスチック成形体としたことを特徴とするものである。
【００１１】
折曲線は断面の形状が底の平坦な変形Ｕ字状の溝の底部に当該底部と同じ幅を有する適当な高さの上底部を形成して当該底部と上底部とによる段差を交互に連設したものとすることができ、断面が大小大きさの異なる略Ｕ字状の溝を上記縁辺に沿って併設したもの、さらに肉薄筋条、通常のミシン目、その他の構成とすることもできる。
【００１３】
湾曲部両側のシート体に、若しくは物品収納用凹部または凸部の外側のシート体部分に、湾曲部を折り目としてシート面を互いに接面した状態において外側に至るほど離反する方向の若干の反りを与えてなる構成を有するものとすれば一層好ましい。
【００１４】
なお切取線、縁折線はいずれも肉薄筋条、ミシン目、その他の構成とすることはできる。縁折線は切取り可能な構成とするのが好ましい。
【００１５】
さらに本発明はプラスチック成形体を湾曲部を折り目として二つ折りしてシート面同士を接合すると共に、湾曲部で調整して凹部に凸部を嵌合した構成を有するプラスチック包装体と、プラスチック成形体を湾曲部で二つ折りすると共に、折返片を縁折線で折り返して切取片の外側面に接合するようにしてなる構成を有するプラスチック包装体とを特徴とするものである。接合は接着剤による接着、熱融着等によりすることができる。
【００１６】
【発明の実施の形態】
以下、本発明の好適な実施形態を図面を参照して説明する。図１は本発明のプラスチック成形体１の斜視図である。プラスチック成形体１は、未延伸ＰＥＴ、ポリ塩化ビニル、ポリプロピレン、ポリスチレン、ポリカーボネイト等の透明な熱可塑性プラスチックからなる適度な強度を有するプラスチックシートを用いて真空、圧空成形或いは加熱、プレス成形等によりそれぞれ概ね同一形状の矩形状シート体２、３を両者の中央に湾曲部４が位置するように形成したものである。なおシート地の厚さが 100ミクロン〜1000ミクロン程度であるのが好ましい。
【００１７】
シート体２はシート体３との接合面となるシート面２ａの略中央に適当な大きさで適度な深さに凹ませた物品収納用の凹部５を形成し、湾曲部４との境界に相当する縁辺２ｂと対向する外側縁から若干内側に任意形状の係止孔２ｃを穿設してある。
【００１８】
シート体３はシート体２との接合面となるシート面３ａにシート面２ａと接合する際に凹部５に嵌合可能で、かつ凹部５の深さよりも若干浅い高さで突出する物品収納用凸部６を形成し、湾曲部４を挟んで係止孔２ｃと線対称の位置に係止孔２ｃと略同一形状の係止孔３ｃを穿設してある。
【００１９】
湾曲部４はシート面２ａ、３ａの裏面側に適度に膨出させて縁辺２ｂ、３ｂが互いに重合する方向に湾曲させて形成したもので、縁辺２ｂ、３ｂとの略中央に位置する部分に後述の折曲線７を縁辺２ｂ、３ｂに沿って平行に連設してある。
【００２０】
折曲線７は湾曲部４のシート面２ａ，３ａ側に図２に示すごとく、縁辺２ｂ、３ｂに沿って平行で断面の形状が底の平坦な変形Ｕ字状の溝の底部７ａに底部７ａの同じ幅を有する適当な高さの上底部７ｂを形成し、底部７ａと上底部７ｂとによる段差を交互に連設したものである。これ以外にも図３に示す如く大小大きさの異なる断面略Ｕ字状の溝７ｃ，７ｄを縁辺２ｂ、３ｂに沿って平行に併設したもの、或いはミシン目、肉薄筋条を形成したものでも良い。
【００２１】
以上のような構成からなる図１に示すプラスチック成形体１は予め凹部５に所定の物品を収納した上で、折曲線７を中心にして縁辺２ｂと３ｂとが重合する方向に湾曲部４をたわませながらシート面３ａをシート面２ａに重合するようにして凸部６を凹部５に嵌合する。そしてシート面２ａとシート面３ａとの重合部分のうち、少なくとも周縁を熱シール等して密封すれば凹部５に所定の物品を収納して凸部６にて蓋をした包装体（図示せず）を完成することができる。この包装体は包装状態が確実なものとなっているため、中身の収納物品を抜き取るという犯罪を未然に防止することができる。
【００２２】
この場合、湾曲部４が適度に変形自在であるためシート体２とシート体３との間に適度な余裕が生まれ、プラスチック成形体１の成形時の歪みによって生じた寸法差を湾曲部４の変形によって吸収し、凸部６を全く無理なく凹部５に嵌合することができる。
【００２３】
しかも、シート面２ａとシート面３ａに平坦な部分を残して凹部５と凸部６を形成したため、当該平坦面に美麗な印刷を施すことによって完成後の包装体を消費者の嗜好にマッチしたものとすることができる。またシート面２ａ，３ａとが隙間なく重合するので、両者の間の隙間から包装体成形後の凹部５にごみや埃が入ることも無く、成形体１自体が透明であることから視認性も良好で、消費者の美的感覚に訴えるセンス溢れる包装体を形成する。なお係止孔２ｃと係止孔３ｃとが重なって得られる係止孔をフックに通せば物品収納後の包装体を引っかけておくことができる。
【００２４】
また、図４に示した本発明の第二実施例であるプラスチック成形体１１はシート体１２、１３を湾曲部１４の両側に概ね同一形状の縦長矩形状に形成すると共に、任意形状の係止孔１２ｃ，１３ｃをそれぞれ形成し、シート体１２、１３の略半分の大きさの凹部１５と凸部１６をそれぞれに形成したものであり、シート体１２、１３のシート面１２ａ，１３ａの平坦部分が広くなるようにしたものである。
【００２５】
この成形体１１においては、シート面１２ａ，１３ａの広範な平坦部分を利用してより多くの美麗な印刷を施すことができる点で好ましいものとなっている。もちろん、湾曲部１４がシート成型時の歪みによって生じた寸法差を吸収するので凸部１６を凹部１５に嵌合して全く無理なく包装体を組立てることができ、しかも印刷ずれを目立たせなくすることから、完成後にあっては外観の美麗な包装体とすることができる。また湾曲部１４には縁辺１２ｂ、１３ｂに沿う折曲線１７を形成してある。
【００２６】
しかも、以上のようにして成形体１または成形体１１から包装体を形成すると共に、包装体を密閉する場合はシート面に既存の熱シートを施したり、接着剤でシールすることができるが、成形体１１にあっては本発明の価値を一層高めたものとなっている。
【００２７】
すなわち、シート面１２ａは外側縁から若干内側に折曲線１７と平行状の切取線１２ｄを形成して外側縁と切取線１２ｄとの間を切取片１２ｅとする。またシート体１３はシート面１３ａの外側にシート体１２の外側縁と折曲線１７を中心にして線対称の位置に形成した縁折線１３ｄを介して若干幅の折返片１３ｅを延設する。そして、縁辺１２ｂからシート体１２の外側縁までの短手幅Ｗ１を縁辺１３ｂから折返片１３ｅの外側縁までの短手幅Ｗ２よりも折返片１３ｅの短手幅Ｗ３の分だけ狭めて形成する。
【００２８】
これにより、凹部１５に所定の物品を入れて湾曲部１４をたわませながらシート体１３をシート体１２に重ねて凸部１６を凹部１５に嵌合させ、次いで縁折線１３ｄを折代にして折返片１３ｅを図中の矢印Ａのシート面１３ａ側方向に折り曲げ、図５に示す如く、折返片１３ｅの表面を切取片１２ｅの裏面に接合させることができる。このとき、折曲げ前に折返片１３ｅの上面にシール用の接着剤を所定量塗布してから折り返した後、折返片１３ｅと切取片１２ｅとの重合部分を上下両面から押圧すれば両者を接着して一体化することができる。これにより完成後の包装体の密閉状態をより確実に維持し得ることになる。
【００２９】
一方、消費者が中身を取り出す場合はシート体１２、１３が二枚重ねになっているため取り出し難いと感じることが予想される。このため、シート体１２に切取線１２ｄを付設したものである。これによると、図５に示す如く折返片１３ｅを折曲げて切取片１２ｅに接着した際、シート体１３、縁折線１３ｄ及び折返片１３ｅと、これらによって挟まれた切取片１２ｅとにより切除部１８を形成することができる。
【００３０】
切除部１８は全体の厚みがシート体１２，１３のその他の部分より厚いため、高度な剛性を持ち得ると共に、切取線１２ｄに沿って爪先やカッター等で傷を付けることによって包装体を開封する際力を入れやすく、かつ、その切り取りを容易ならしめるものである。
【００３１】
また、犯罪者が切取部１８を引きちぎり、包装体の中身を抜き取ろうとすれば必然的に包装体自体の破壊、開放を招くことになる。この場合、店員や警備員の発見が容易となるので、犯罪の減少に寄与することになる。
【００３２】
なお折返片１３ｅと切取片１２ｅとの密着方法は通常の熱シールでも良い。また折曲線１７と、切取線１２ｄ、縁折線１３ｄは上記成形体１の折曲線７と同様の底部と上底部とによる段差を交互に連設したもの、大小大きさの異なる断面略Ｕ字状の溝を併設したもの、或いはミシン目、肉薄筋条を形成したものいずれでも良いことはいうまでもない。
【００３３】
さらに、以上の包装体はシート面１２ａ，１３ａが凹部１５、凹部１６に比較して広範であるため、成形体１１を成形する際には特別の注意が必要である。なぜならシート体１２及びシート体１３を二つ折りして包装体を形成すると、成型時の歪みが原因でシート面１２ａ，１３ａ間に隙間が生じてごみや埃が入ってしまうおそれがあるからである。
【００３４】
これを除去するには第６図に示すごとく、成型金型の形状を若干変更してできあがる成形体１１のシート体１２及びシート体１３が各々のシート面１２ａ，１３ａと反対方向に反返る反り角αを設けるようにすれば良い。こうして成型された成形体１１を二つ折りにすると、図７に示す如くシート体１２及びシート体１３の間に隙間が生じるが、折返片１３ｅを折曲げて切取片１２ｅの外側に接着すると、上記反り返りの反力によりシート面１２ａ、１３ａが互いに密接するようになるからである。この場合の反り角αは10mmにつき0.3 mmから2.0 mm程度であれば良い。
【図面の簡単な説明】
【図１】本発明のプラスチック成形体の一実施例を示す斜視図である。
【図２】折曲線の一実施例を示す部分拡大斜視図である。
【図３】別の折曲線を示す部分拡大斜視図である。
【図４】本発明のプラスチック成形体の別実施例を示す斜視図である。
【図５】図４に示す成形体からなる包装体の接着部分を示す部分拡大斜視図である。
【図６】図４のVI-VI 線断面図である。
【図７】図６の成形体からなる包装体を示す断面図である。
【符号の説明】
1,11 プラスチック成形体
2,3 シート体
2a,3a シート面
4,14 湾曲部
5,15 凹部
6,16 凸部
7,17 折曲線
12,13 シート体
12a,13a シート面
12b,13b 縁辺
12d 切取線
13d 縁折線
12e 切取片
13e 折返片
【図１】
0003943153.tif 000002
【図２】
0003943153.tif 000003
【図３】
0003943153.tif 000004
【図４】
0003943153.tif 000005
【図５】
0003943153.tif 000006
【図６】
0003943153.tif 000007
【図７】
0003943153.tif 000008